(57)【要約】  被加熱ストレートアイロン１は、それぞれ一端が蝶番４で連結された第１長尺部材２と第２長尺部材３を含む。被加熱ストレートアイロン１には電気コード５が取り付けられ、電気コード５は、アイロン１を従来型の外部電源に接続する従来型のプラグ（図示せず）を有する。上部プレート６が第１部材２に取り付けられ、下部プレート７が第２部材３に取り付けられている。上部プレート６は長手方向に延びる溝８を含み、好適には、長手方向に沿って間隔をおいた横向きの一連のスロット凹部９を溝８内に含んでいる。下部プレート７は、第２部材３の縦軸に直角に延びる長さＬと、下部プレート７の面から離間する方向で測定した高さＨと、長さＬと直角方向に測定した厚さＴを有し、ＬがＴよりも大きい寸法をそれぞれ有する一連の隆起した突条１０を含む。突条１０は、下部プレート７に沿って長手方向に延びる列上に並んでおり、該列は溝８と整列し、さらに各突条１０がスロット凹部９の一つと整列して対応している。突条１０の高さは、調節自在に可変でもよい。
2011517285.tif 000002
【特許請求の範囲】
【請求項１】
髪をスタイリングするためのヘアストレートニングアイロンであって、
第１の加熱可能なプレートを表面に有し、縦軸を有する第１長尺部材と、
前記第１の加熱可能なプレートと対向する第２の加熱可能なプレートを表面に有する第２長尺部材と、
前記第１部材を前記第２部材に対して回動式に連結し、前記第１の加熱可能なプレートと前記第２の加熱可能なプレートをそれぞれ、相互に開いたり閉じたりできる蝶番と、
前記第１の加熱可能なプレートと直交して延びるとともに、それぞれ長さＬと、幅Ｗと、高さＨとを有し、ＬがＨよりも大きく、Ｌが前記縦軸に直交して配される一連の突条と、を含むことを特徴とするアイロン。
【請求項２】
前記突条が、前記縦軸に平行に延びる一つの列に沿って配置されることを特徴とする請求項１に記載のアイロン。
【請求項３】
前記突条が延出する突条ベースをさらに含み、前記突条ベースは前記下部プレートの下に位置し、前記突条が前記下部プレートに設けた対応する開口部を貫通することを特徴とする請求項１に記載のアイロン。
【請求項４】
前記ベースは前記下部プレートに直交する方向に移動可能であり、前記ベースを移動させると、前記下部プレートを超えて突出する突条の高さを調整できることを特徴とする請求項３に記載のアイロン。
【請求項５】
前記ベースに設けた少なくとも一つの楔面と、楔接触面を有する楔プレートと、をさらに含み、前記楔プレートが前記ベースに対して摺動することで、前記楔接触面が前記ベースの前記楔面と係合および係合解除され、前記ベースを前記下部プレートに直交する方向に移動させるように構成したことを特徴とする請求項４に記載のアイロン。
【請求項６】
前記ベースに設けた複数の楔面と、楔接触面を有する楔プレートとをさらに含み、前記楔プレートが前記ベースに対して選択的に摺動することで、前記楔接触面が前記ベースの前記楔面の一つと選択的に係合および係合解除され、前記ベースを前記下部プレートの直交方向に選択的に所望の量だけ移動させるように構成したことを特徴とする請求項４に記載のアイロン。
【発明の詳細な説明】
【技術分野】
【０００１】
＜発明の背景＞
本発明はヘアケア装置に関するものであり、より詳細には、被加熱プレートを有するヘアスタイリング装置に関するものである。
【背景技術】
【０００２】
＜関連技術の説明＞
公知の様々なヘアスタイリングアイロンは、加熱される平坦なプレートを有する。ストレートアイロンには、一つまたはそれ以上の隆起した輪郭部、溝、ピンおよび経路を含む平坦でない被加熱面を有するものがある。それぞれは、例えば、特別な方法による整髪または絡んだ髪をほぐす等の特殊な目的があるものの、いずれのヘアスタイリングアイロンも、髪を真っすぐにしたり、絡んだ髪をほぐしたり、最適な熱の伝達を行ったりを同時に実現するのに最適な性能を提供するものではない。例えば、ピンまたは剛毛様突起のみを有する設計では、効果的に髪をとかし、場合によっては絡んだ髪をほぐすことができるが、ピンは熱の伝導性が低いので、ほとんど熱を伝達しない。その結果、熱伝達はもっぱら髪に直接接触するストレートアイロンの表面だけに限って起こることになる。さらに、ピン、特に比較的多数のピンを用いる場合には、もつれた髪に引っ掛かり易くなり、不快感を感じることなく髪をとかすことが困難となる。
【０００３】
＜発明の目的＞
本発明の目的は、上述した欠点を克服するようなやり方で、髪を真っすぐにしたり、絡んだ髪をほぐしたり、最適な熱の伝達を行ったりする被加熱スタイリングアイロンを提供することである。本発明の別の目的は、汎用式で、異なるスタイリング機能のために複数のモードを有するように構成可能な被加熱スタイリングアイロンを提供することである。
【０００４】
これらの目的および他の目的は、明細書中に開示する本発明によって達成される。
【０００５】
＜発明の概要＞
本発明によると、相互に蝶番式に連結された各部分に取り付けられた２つの対向する被加熱面を有する被加熱スタイリングアイロンは、１つの平坦な被加熱面上にある一列のフィン様に隆起した突条によって、髪を真っすぐにしたり、絡んだ髪をほぐしたり、最適な熱の伝達を行ったりすることができ、これらのフィン様に隆起した突条は、長手方向に間隔をおいて一列に配されるとともに、フィン様突条の長手方向が縦軸に対して略横方向に並ぶように配向される。したがって、アイロンによって髪をとかす際、これらの突条が長手方向に沿って髪を案内することになる。反対側の平坦な被加熱面は、被加熱面どうしを相互に閉じる際に、突条の列が相補的に収容されるように長手方向に延びる経路または溝を有している。溝の寸法および形状は、被加熱面を髪の房の周囲で閉じながら、突条を収容するのに最適なものとする。本発明の別の側面では、隆起した突条は、選択的に、平坦な被加熱面内に格納されたり、被加熱面から延出させたりするために、格納式に取り付けられる。フィンは表面に設けた開口部内に収容してもよい。フィンは、選択的にスタイリング性能を発揮するため、１つまたはそれ以上の高さで固定してもよい。フィンを完全に格納することで、平坦で滑らかな被加熱面を形成してもよい。代わりに、反対側の平坦な被加熱面に経路または溝を形成せずに、フィンをバネ付勢させて、初期状態では隆起するが、反対側の面に押圧されるとフィンがバネに抗して格納され平坦化されるように構成してもよい。本発明の別の側面では、貯水容器およびスチーム発生器を、可変スチーム出力レベルを選択的に制御する手段と共に備えていてもよい。
【図面の簡単な説明】
【０００６】
【図１】本発明の第１実施形態の後面図である。
【発明を実施するための形態】
【０００７】
図面を参照すると、被加熱ストレートアイロン１は、それぞれ一端が蝶番４で連結された第１長尺部材２と第２長尺部材３を含む。被加熱ストレートアイロン１には電気コード５が取り付けられ、電気コード５は、アイロン１を従来型の外部電源に接続する従来型のプラグ（図示せず）を有する。上部プレート６が第１部材２に取り付けられ、下部プレート７が第２部材３に取り付けられている。上部プレート６は長手方向に延びる溝８を含み、好適には、長手方向に間隔をおいた横向きの一連のスロット凹部９を溝８内に含んでいる。下部プレート７は、第２部材３の縦軸に直角に延びる長さＬと、下部プレート７の面から離間する方向で測定した高さＨと、長さＬと直角方向に測定した厚さＴを有し、ＬがＴよりも大きい寸法を有する一連の隆起した突条１０を含む。突条１０は、下部プレート７に沿って長手方向に延びる列上に並んでおり、該列は溝８と整列し、さらに各突条１０がスロット凹部９の一つと整列して対応している。各突条１０は、その長さＬが長手方向に延びる突条１０の列に対して直角となるように配向されている。突条１０の列は、下部プレート７の表面に嵌め込まれるかまたは下部プレート７の面よりも下方に位置させた第２プレート上に形成されてもよく、突条を下部プレート７の表面と一体に形成してもよい。溝を簡略化するために、所望であれば、スロット凹部９を省略してもよい。代わりに、Ｌの方向に対してすべての突条が平行となるように各突条の向きを維持したままで、複数の突条が単一の列を形成しないように分散させる形態とすることもできる。このような場合には、反対側のプレートは、幅広の溝または複数の溝や凹部を備えるものとなる。
【０００８】
当業者に公知である従来型の電熱体（図示せず）は、プレート６，７の一方または両方に熱を供給する。熱の設定を制御するために、従来型の制御ボタンおよびダイアルが使用される。好適な実施形態においては、ボタン１１およびディスプレイ１２を用いて、オン／オフおよび温度制御等の様々な機能を制御する。従来型のストレートアイロンに用いる係止装置（図示せず）は、スライド係止スイッチ１３によって制御される。被加熱プレート６，７およびフィン１０の様々な面は、金属または他の適切な材料によって構成され、一つまたはそれ以上のセラミック、トルマリン、非金属、金属、および他の材料によって処理するか或いはこれらを被覆してもよい。イオン発生器および遠赤外線を含む赤外線発生器をアイロンに組み込んでもよい。湿潤および乾燥用途にアイロンを換気してもよく、要求に応じてスチームを発生されるためにアイロンがスチーム発生器および流体容器を有していてもよい。単にスチーム機能のみを備えてスチーム設定がない構成とは対照的に、可変スチーム排出機能を組み込むことで、選択的にスチーム排出の量や割合を制御してもよい。アイロンがファンやヒータを備え、スタイリングする間に冷気または熱風を選択的に吹きかけてもよい。
【０００９】
特に、図７から図１０を参照すると、隆起した突条１０が、上部ベース本体１４と、それぞれバネ１７，１８と係合してこれらを保持するバネボス１５，１６を有する下部ベース本体１９によって形成されるベースに固定される。上部本体１４は、図８から図１０に示すように、バネおよびボスを収納する孔２０，２１を有する。上部および下部ベース本体１４，１９は、まとめてベース２２と呼ぶ。ベース２２は第２部材３の内部に位置し、楔プレート２３が移動することで、一つまたはそれ以上の楔２４，２５がベース２２の対応する起伏面２６，２７と係合することができるように配置される。これにより突条１０の高さを調節できる。図８から図１０に示すように、起伏面２６，２７は、それぞれ３つの段状水平面２８−２９−３０および３１−３２−３３を含んでいる。図８は、楔２４，２５が第１の段２８，３１と係合する格納または低位置を説明する。この位置では、図８から図１０に線３４で表すプレート７の表面を超えて、突条１０が突出することはない。したがって、図８は格納位置を説明する。図９は、楔プレート２３が摺動して、楔２４，２５が第２の段２９，３２と係合するとき、突条１０が第１の高さに突出する低設定を説明する。図１０は、楔プレート２３が摺動して、楔２４，２５が第３の段３０，３３と係合するとき、突条１０が、図９の第１の高さよりも高い第２の高さに突出する高設定を説明する。突条１０は、下部プレート７内の対応する開口部３５を貫通して突出する。バネ１７，１８はベース２２を付勢し、楔２３が摺動して後退すると、ベース２２が低い位置に、そして最終的に格納位置に戻る。
【００１０】
ユーザがヘアスタイリングの間に選択的にスチームを利用することもできるように、選択的且つ可変的にスチームを放出するため、流体容器と、スチーム発生器（図示せず）と、制御システム（図示せず）を備えてもよい。
【００１１】
代替的な実施形態（図示せず）として、バネによって完全に延出した高さに付勢され、バネ力に抗して最小高さ、すなわち完全格納位置まで低下させることができるベースと突条を備えてもよい。
【００１２】
本発明の好適な実施形態を明細書中において開示したが、特許請求の範囲を逸脱することなく、様々な変形例が可能であることが理解されよう。
【図１】
2011517285.tif 000003
【図２】
2011517285.tif 000004
【図３】
2011517285.tif 000005
【図４】
2011517285.tif 000006
【図５】
2011517285.tif 000007
【図６】
2011517285.tif 000008
【図７】
2011517285.tif 000009
【図８】
2011517285.tif 000010
【図９】
2011517285.tif 000011
【図１０】
2011517285.tif 000012
【国際調査報告】
2011517285.tif 000013